(57)【要約】【課題】壁スイッチの取付工事が不要で施工性の向上及び工期の短縮が図れるシャッターを提供する。【解決手段】建物の開口に設けられる上枠２ａ、下枠２ｂ及び左右の縦枠２ｃ，２ｃからなる枠体２と、その上枠２ａ上に設けられシャッターカーテン３を巻き上げ下げする電動式のシャッター本体４を収容したシャッターボックス５と、前記縦枠２ｃの前部に設けられシャッターカーテン３を開閉自在に案内するガイドレール６とを備え、前記シャッター本体４の近傍には開閉切替え用のスイッチ８が設けられ、該スイッチ８にはこれを切替え操作するための操作部材９が伝達部材１０を介して連結され、前記縦枠２ｃは中空構造とされ、この縦枠２ｃの中空部２７に前記伝達部材１０を挿通させて前記操作部材９を室内側に設けている。【選択図】　　　　　図１
2004019139.tif 000002
【特許請求の範囲】
【請求項１】
建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備え、前記シャッター本体の近傍には開閉切替え用のスイッチが設けられ、該スイッチにはこれを切替え操作するための操作部材が伝達部材を介して連結され、前記縦枠は中空構造とされ、この縦枠の中空部に前記伝達部材を挿通させて前記操作部材を室内側に設けたことを特徴とするシャッター。
【発明の詳細な説明】
【０００１】
【発明の属する技術分野】
本発明は、シャッターに係り、特に壁スイッチの取付工事を不要にしたシャッターに関する。
【０００２】
【従来の技術】
従来のシャッターとしては、建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備えた電動式のシャッターが知られている。この種のシャッターは、前記シャッター本体から電源ケーブルを介して引き出された開閉切替え用の壁スイッチを室内の壁に取付けるように構成されている。
【０００３】
【発明が解決しようとする課題】
しかしながら、前記シャッターにおいては、壁スイッチを有している構造上、建物の内装工事を仕上げてからでないと壁スイッチの取付工事を行うことできず、また、壁スイッチの取付けには壁内部への電源ケーブルの挿通作業や壁に穴を開けて壁スイッチを取付ける作業等を要し、施工が大変で工期もかかるという問題があった。
【０００４】
本発明は、前記事情を考慮してなされたもので、壁スイッチの取付工事が不要で施工性の向上及び工期の短縮が図れるシャッターを提供することを目的とする。
【０００５】
【課題を解決するための手段】
本発明は、建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備え、前記シャッター本体の近傍には開閉切替え用のスイッチが設けられ、該スイッチにはこれを切替え操作するための操作部材が伝達部材を介して連結され、前記縦枠は中空構造とされ、この縦枠の中空部に前記伝達部材を挿通させて前記操作部材を室内側に設けたことを特徴とする。
【０００６】
【発明の実施の形態】
以下に、本発明の実施の形態を添付図面に基いて詳述する。図１は本発明の実施の形態を示すシャッターの要部断面図、図２は同シャターの概略的分解斜視図、図３は図１のＡ−Ａ矢視概略的断面図、図４はシャッター本体の駆動部の一例を示す斜視図、図５は伝達部材の構成を示す分解斜視図である。
【０００７】
図１，図２ないし図３において、１は電動式のシャッターで、建物の開口に設けられる上枠２ａ、下枠２ｂ及び左右の縦枠２ｃ，２ｃからなる枠体２と、その上枠２ａ上に設けられシャッターカーテン（スラットとも言う）３を巻き上げ下げ（巻上げ、巻降ろし）する電動式のシャッター本体４を収容したシャッターボックス５と、前記縦枠２ｃ、２ｃの前部に設けられシャッターカーテン３を開閉自在に案内するガイドレール６，６とを備えている。
【０００８】
前記枠体２は、シャッター枠と共にサッシ枠を構成しており、この枠体２内には内外の障子７ａ，７ｂが引違い状に開閉自在に取付けられている。すなわち、図示例のシャッター１はサッシと一体に構成されている。また、前記左右の縦枠２ｃ，２ｃは、上枠２ａよりも上方に延長されており、左右の縦枠２ｃ，２ｃの上端部間にはシャッターボックス５の頂部を構成する頂部枠２ｄが掛け渡されている。
【０００９】
前記シャッター本体４の近傍には、開閉切替え用のスイッチ８が設けられ、このスイッチ８にはこれを切替え操作するための操作部材９が伝達部材１０を介して連結されている。この場合、前記縦枠２ｃは中空構造（ホロー構造）とされ、この縦枠２ｃの上下方向に連通した中空部（ホロー部）２７に前記伝達部材１０を挿通させることにより室外側のシャッターボックス５内から室内側の枠体（サッシ枠）２内に導き、前記操作部材９を室内側に設けている。操作部材９は、一方の縦枠２ｃにおける外障子７ｂよりも室内側の内側面に配置されている。
【００１０】
シャッター本体４は、例えば図４に示すように、電動モータを内蔵したモータチューブ１１を有し、このモータチューブ１１の一端から突出したモータ出力軸（回転軸）１２にアダプタ１３を介してシャッターカーテン３の筒状の巻取りシャフト１４が嵌合連結されている。通常動作時には、アダプタ１３が回転することにより巻取りシャフト１４が回転し、シャッターカーテン３の巻上げ、巻降ろしが行われる。前記モータチューブ１１の他端は支持枠１５に連結され、例えばこの支持枠に１５に前記スイッチ８が設けられている。なお、シャッター本体４の構成はこれに限定されるものではなく、スイッチ８はシャッター本体４の近傍に設けられていれば良い。
【００１１】
図１ないし図５に示すように、前記伝達部材１０として、本実施例では回動を正確に伝えるために第１，第２，第３の回動軸２０，２１，２２と方向転換用の第１，第２，第３，第４のギヤ機構部２３，２４，２５，２６が用いられている。第１，第２，第３，第４のギヤ機構部２３，１４，２５、２６は方向を略９０度転換するための傘歯車をＬ字状のギヤケース内に内蔵したものからなっている。
【００１２】
前記シャッター本体４近傍の開閉切替え用のスイッチ８にはこれを切替え操作する垂直の第１の回動軸２０の一端（上端）が連結され、この第１の回動軸２０の他端（下端）と水平の第２の回動軸２１の一端とが第１のギヤ機構部２３を介して連結されている。この第２の回動軸２１の他端が第２，第３のギヤ機構部２４，２５を介して垂直の第３の回動軸２２の一端（上端）に連結され、この第３の回動軸２２の他端（下端）が第４のギヤ機構部２６を介して操作部材９の出力軸部９ｃに連結されている。なお、第１の回動軸２０は、ワイヤなどにすることにより、第１のギヤ機構部２３を介さずに、直接第２のギヤ機構部２４に連結されていても良い。また、回動軸２０または２１のギヤ機構部２３または２４への連結は、シャッター本体４の枠体２への取付けと同時に自動的に連結されるようになっていることが好ましい。
【００１３】
縦枠２ｃの内側面には上枠２ａよりも上方に中空部２７と連通する第１の貫通穴２８が、上枠２ａよりも下方に中空部２７と連通する第２の貫通穴２９がそれぞれ設けられている。第２及び第３のギヤ機構部２４，２５は、向きを横方向に変え更に下方向に変えるべく連結されており、これらの中間部に設けられた取付板３０が前記第１の貫通穴２８を塞ぐべく縦枠２ｃの内側面にネジ３１で固定されている。すなわち、前記第３のギヤ機構部２５は第１の貫通穴２８から縦枠２ｃの中空部２７内に挿入されており、第３の回動軸２２が縦枠２ｃの中空部２７内を上下方向に挿通されている。
【００１４】
前記操作部材９は、ケース本体９ａの正面に操作ダイヤル９ｂを回動自在に設けてなり、操作ダイヤル９ｂの裏面部から第２の貫通穴２９を通って縦枠２ｃの中空部２７内に臨むように出力軸部９ｃが延出されている。この出力部９ｃには第４のギヤ機構部２６を介して前記第３の回動軸２２の下端部が連結されている。前記操作部材９のケース本体９ａは前記第２の貫通穴２９を塞ぐべく縦枠２ｃの内側面にネジ３２で固定されている。
【００１５】
上枠２ａの下面には内障子用と外障子用の内外のレール３３ａ，３３ｂが設けられ、その内レール３３ａ側の一側（図３の図示例で左側）には、内障子用のストッパー３４が設けられている。前記操作部材９は内障子用のストッパー３４と同じ側に配置され、内障子７ａの開移動がストッパー３４で規制されることにより内障子７ａと操作部材９とが干渉しないようになっている。また、操作部材９は閉鎖時の外障子７ｂよりも室内側に外障子７ｂと干渉しないように設けられている。なお、縦枠２ｃの内側面には第２の回動軸２１の中間部を回動自在に支持する支持部材３５が取付けられている。
【００１６】
以上の構成からなるシャッター１においては、シャッター１を建物の躯体に取付けたなら、モータヘッド１５から引き出されている電源ケーブル（図示省略）を建物の躯体側に導いておけば、電気工事の際に電源ケーブルを電源に接続するだけで良く、壁スイッチの工事を一切必要としない。すなわち、壁スイッチを備えていないため、内装の仕上げを待つ必要が無く、シャッター１を取付けるだけでシャッター１の取付工事が完了し、壁スイッチの工事を要しないので、施工性の向上及び工期の短縮が図れる。
【００１７】
すなわち、前記シャッター１によれば、建物の開口に設けられる上枠２ａ、下枠２ｂ及び左右の縦枠２ｃ，２ｃからなる枠体２と、その上枠２ａ上に設けられシャッターカーテン３を巻き上げ下げする電動式のシャッター本体４を収容したシャッターボックス５と、前記縦枠２ｃ，２ｃの前部に設けられシャッターカーテン３を開閉自在に案内するガイドレール６，６とを備え、前記シャッター本体４の近傍には開閉切替え用のスイッチ８が設けられ、該スイッチ８にはこれを切替え操作するための操作部材例えば操作棒９が伝達部材１０を介して連結され、前記縦枠２ｃは中空構造とされ、この縦枠２ｃの中空部２７に前記伝達部材１０を挿通させて前記操作部材９を室内側に設けているため、室内側からシャッター本体４近傍のスイッチ８の切替え操作を容易に行うことが可能となり、従来の電動式シャッターと異なり壁スイッチを要しないので、壁スイッチの取付工事が不要となり、施工性の向上及び工期の短縮が図れる。
【００１８】
また、伝達部材１０として、第１，第２，第３の回動軸２０，２１，２２と方向転換用の第１，第２，第３，第４のギヤ機構部２３，２４，２５，２６が用いられているため、回動操作力を正確且つ容易に伝えることができ、操作性の向上が図れる。
【００１９】
以上、本発明の実施の形態を図面により詳述してきたが、本発明は前記実施の形態に限定されるものではなく、本発明の要旨を逸脱しない範囲での種々の設計変更等が可能である。例えば、前記実施例では、サッシ枠とシャッター枠が一体のシャッターが例示されているが、本発明のシャッターとしては、サッシ枠とシャッター枠が別体に構成されていても良い。また、伝達部材としては、可撓性を有し、曲線状に曲げても回動ないし回転を伝達できるワイヤ等であっても良い。
【００２０】
操作部材９として、前記実施例では操作ダイヤルを有するものが例示されているが、操作部材としてはこれに限定されるものではなく、例えば図６に示すように操作棒９ｄを有するもの、或いは操作棒からなるものであっても良い。本体ケース９ａには第４のギヤ機構部２６と連結される第５のギヤ機構部３６が設けられ、この第５のギヤ機構部３６に操作棒９ｄの上端部が連結されている。操作棒９ｄは簡単に取外せるように着脱自在に取付けられていても良い。前記操作棒９ｄを回動することにより伝達部材及び切替え部材を介してスイッチを切替え操作することができる。
【００２１】
【発明の効果】
以上要するに本発明によれば、建物の開口に設けられる上枠、下枠及び左右の縦枠からなる枠体と、その上枠上に設けられシャッターカーテンを巻き上げ下げする電動式のシャッター本体を収容したシャッターボックスと、前記縦枠の前部に設けられシャッターカーテンを開閉自在に案内するガイドレールとを備え、前記シャッター本体の近傍には開閉切替え用のスイッチが設けられ、該スイッチにはこれを切替え操作するための操作部材が伝達部材を介して連結され、前記縦枠は中空構造とされ、この縦枠の中空部に前記伝達部材を挿通させて前記操作部材を室内側に設けているため、室内側からシャッター本体近傍のスイッチの切替え操作を容易に行うことが可能となり、従来の電動式シャッターと異なり壁スイッチを要しないので、壁スイッチの取付工事が不要となり、施工性の向上及び工期の短縮が図れる。
【図面の簡単な説明】
【図１】本発明の実施の形態を示すシャッターの要部断面図である。
【図２】同シャターの概略的分解斜視図である。
【図３】図１のＡ−Ａ矢視概略的断面図である。
【図４】シャッター本体の駆動部の一例を示す斜視図である。
【図５】伝達部材の構成を示す分解斜視図である。
【図６】操作部材の変形例を示す斜視図である。
【符号の説明】
１　シャッター
２　枠体
２ａ　上枠
２ｂ　下枠
２ｃ　縦枠
３　シャッターカーテン
４　シャッター本体
５　シャッターボックス
６　ガイドレール
８　スイッチ
９　操作部材
１０　伝達部材
２７　中空部
【図１】
2004019139.tif 000003
【図２】
2004019139.tif 000004
【図３】
2004019139.tif 000005
【図４】
2004019139.tif 000006
【図５】
2004019139.tif 000007
【図６】
2004019139.tif 000008